(57)【要約】      （修正有）【課題】スリムな外観でステレオ放音を可能にしたスピーカ装置を提供する。【解決手段】スピーカボックス３０，３１に、それぞれ異なるチャンネルの信号が入力されるスピーカユニット２０，２１，２２を、それぞれ異なる方向に向けて、鉛直方向に配列する。スピーカボックスには、さらにバスレフポート２３が設けられる。バスレフポートは、複数のスピーカユニットに対して更に鉛直方向に配列され、複数のスピーカユニットの向きの中間の向きに開口する。【選択図】図２
2014230120.tif 000002
【特許請求の範囲】
【請求項１】
それぞれ異なるチャンネルの信号が入力される複数のスピーカユニットを、それぞれ異なる方向に向けて、鉛直方向に配列してなるスピーカ装置。
【請求項２】
前記複数のスピーカユニットは、共通のスピーカボックスに収容され、
該スピーカボックスは、前記複数のスピーカユニットに対して更に鉛直方向に配列され、前記複数のスピーカユニットの向きの中間の向きに開口するバスレフポートを有する請求項１に記載のスピーカ装置。
【請求項３】
聴取者と音声を反射する壁面との間に、前記複数のスピーカユニットが壁面側に位置するように設置される請求項１または請求項２に記載のスピーカ装置。
【発明の詳細な説明】
【技術分野】
【０００１】
本発明は、ステレオなど複数チャンネルの音声を放音するスピーカ装置に関する。
【背景技術】
【０００２】
一般的なステレオスピーカシステムは、左右チャンネル用のスピーカボックスを備え、これらが左右に配列される構成である（たとえば、特許文献１参照）。このため、設置面積が大きくなり、部屋の隅に設置することが難しいうえ、デザイン的に自由度が低い。
【０００３】
そこで、四角柱状の細長い筐体の四側面すべてに複数のスピーカユニットが設けられ、筐体を直立させて設置するスピーカ装置の発明が開示されている（例えば、特許文献２参照。）。このスピーカ装置は、各スピーカユニットがオーディオ信号を出力するタイミングを遅延・調整して、指向性を持たせた音波である音声ビームを出力する。このスピーカ装置は、音声ビームを部屋の床や天井の方向に出力して複数回反射させるので、間接音が多くの方向から聴取者に到達することになる。これにより、聴取者にスピーカ装置の明確な位置を感じさせないという効果が得られる。
【先行技術文献】
【特許文献】
【０００４】
【特許文献１】特開平０９−０９８４９５号公報
【０００５】
【特許文献２】特開２００７−０３７０５８号公報
【発明の概要】
【発明が解決しようとする課題】
【０００６】
特許文献２に記載のスピーカ装置であっても、左右チャンネルのスピーカ列が別々に設けられているため、筐体をスリムにすることは限界があった。また、特許文献２に記載のスピーカ装置は、前記のように筐体の四側面すべてに複数のスピーカユニットが設けられているので装飾などを施すことができず、そのデザインが制限されてしまうという問題がある。
【０００７】
そこで、本発明は、スリムな外観でステレオ放音を可能にしたスピーカ装置を提供することを目的とする。
【課題を解決するための手段】
【０００８】
この発明のスピーカ装置は、それぞれ異なるチャンネルの信号が入力される複数のスピーカユニットを、それぞれ異なる方向に向けて、鉛直方向に配列したことを特徴とする。
てなるスピーカ装置。
【０００９】
上記発明において、複数のスピーカユニットは、共通のスピーカボックスに収容されており、このスピーカボックスはバスレフポートを有する。バスレフポートは、複数のスピーカユニットに対して更に鉛直方向に配列され、複数のスピーカユニットの向きの中間の向きに開口している。
【００１０】
このスピーカ装置は、聴取者と音声を反射する壁面との間に、前記複数のスピーカユニットが壁面側に位置するように設置されてもよい。
【発明の効果】
【００１１】
この発明によれば、スリムな筐体で広がりのあるステレオ音声を放音することが可能になる。
【図面の簡単な説明】
【００１２】
【図１】この発明の実施形態に係るスピーカ装置の外観図
【図２】スピーカ装置の内部構成図
【図３】スピーカ装置のスピーカグリルを取り外した状態の背面図
【図４】スピーカ装置の設置形態の例を示す平面図
【図５】スピーカ装置の電子回路のブロック図
【発明を実施するための形態】
【００１３】
以下、図面を参照して本発明の実施形態に係るスピーカ装置について説明する。図１は、この発明の実施形態に係るスピーカ装置の外観図であり、図１（Ａ）が正面図、図１（Ｂ）が右側面図、図１（Ｃ）が背面図である。図２は、スピーカ装置の内部構成図である。図３は、スピーカグリルを取り外したスピーカ装置の背面図である。
【００１４】
本発明の実施形態に係るスピーカ装置１は、複数のスピーカが収容される筐体１１、筺体１１を床面から支持する円板状のベース１４、および、筺体１１とベース１４とを接続する棒状のピロー１３を備えている。筐体１１は、ピロー１３およびベース１４によって支持されて鉛直方向に立設される。
【００１５】
筐体１１は、略四角柱の形状をなしており、上方向に向けて若干幅が狭まっている。すなわち、正確には四角錐台形状（四角錐の頂点側（頭部）を底面に平行な面で水平に切削した形状）である。筐体１１の側面は、鉛直線に対して２パーセント傾斜している。
【００１６】
スピーカグリル１２は、図１（Ｃ）に示すように筺体の稜線部１８を跨いで設けられる。以下の説明では、図１（Ｃ）に示す稜線部１８の方向を背面方向とし、図１（Ａ）に示す反対側の稜線部１９の方向を正面方向として説明する。ただし、どちらを前面（ユーザ方向）にして設置するかは自由である。以下の説明では、仮に、正面方向を前方、背面方向を後方と呼んで説明する。また、左右の方向は、正面方向のユーザからスピーカ装置１を見たときの方向を用いる。
【００１７】
筐体１１の内部は、２枚の仕切り板によって仕切られており、上下方向に３つの空間を有する構造になっている。上部の空間がスピーカユニット２０を収容する中音域用スピーカボックス３０、中央部の空間がスピーカユニット２１、２２を収容するステレオスピーカボックス３１、下部の空間が電子回路１５を収容する回路ボックス３２として用いられる。
【００１８】
図２は、正面側の筺体１１を切り欠いた状態の内部構造図である。図３はスピーカグリル１２を取り外した状態の背面図である。これら図２および図３に示すように、ステレオスピーカボックス３１は、背面側に開口しており、この開口部にバッフル板２４が設けられている。このバッフル板２４は、平面ではなく、四角柱の筺体１１の形状に合わせて左右に湾曲している。このバッフル板２４に、スピーカユニット２１、２２が取り付けられているとともに、バスレフポート２３が設けられている。スピーカユニット２１は、右チャンネルのスピーカユニットであり、斜め右後方に向けて取り付けられている。スピーカユニット２２は、左チャンネルのスピーカユニットであり、斜め左後方に向けて取り付けられている。スピーカユニット２１，２２はそれぞれ背面方向に対して、左右約４５度斜め方向に向けて取り付けられている。バスレフポート２３は、背面向きに設けられており、ダクト２５を介してステレオスピーカボックス３１内部に開口している。バスレフポート２３は、主として低音を強調するためのものであるため、チャンネルおよび指向性を考慮する必要性が低い。このため、左右チャンネル共通に、その中間の向きに開口している。バッフル板２４は、スピーカグリル１２に覆われている。スピーカグリル１２は金属メッシュからなり、図１（Ｂ）に示すようにほぼ筺体１１と面一に形成されている。
【００１９】
また、中音域用スピーカボックス３０は上面に開口しており、この開口部にスピーカユニット２０が上向きに取り付けられている。スピーカユニット２０のさらに上には、スピーカユニット２０から放音された音声を前方に反射するヘッドピース１０が設けられている。
【００２０】
図４は、スピーカ装置１の設置形態を示す平面図である。同図（Ａ）は、スピーカ装置１の背面、すなわちスピーカユニット２１、２２を前方（ユーザ方向）に向けて設置した状態を示す図である。また、同図（Ｂ）は、スピーカ装置の正面を前方に向け、スピーカユニット２１，２２を後方である壁３００に向けて設置した状態を示す図である。いずれの場合でもスピーカユニット２１，２２には、それぞれ別々のチャンネル（この実施形態では左右チャンネル）の音声信号が入力される。
【００２１】
図４（Ａ）の設置形態では、スピーカユニット２１，２２から放音された音声は、それぞれ斜め左前方および斜め右前方に向けて伝搬する。左右に音声が伝搬することにより音に広がり感が与えられるとともに、左右に伝搬する音声がそれぞれ別チャンネルの音声であるため、ユーザに対して立体的なステレオの聴感を与えることができる。
【００２２】
また、図４（Ｂ）のように、スピーカユニット２１，２２が壁３００に向くように設置された場合、スピーカユニット２１，２２から放音された音声は、左右後方に広がりながら伝搬して壁面３００のエリア３０１，３０２付近で反射する。反射した音声は前方に伝搬してユーザに到達する。これにより、鉛直方向に配置され、横方向に配置幅を持たないスピーカユニット２１、２２から放音された左右チャンネルの音声は、あたかも壁面３００上に横方向の幅を有するエリア３０１，３０２から放音された音声のようにユーザに伝搬し、ユーザに対して広がりのあるステレオ音声を聴かせることができる。
【００２３】
図１において、筺体１１の回路ボックス３２には電子回路１５が内蔵されている。図５は、電子回路１５の主要部のブロック図である。電子回路１５は、コントローラ５０、信号処理部５１、オーディオアンプ５２、入力選択部５３、Ｂｌｕｅｔｏｏｔｈ（登録商標）通信回路５４、ケーブルコネクタ５５などを有している。
【００２４】
コントローラ５０は、マイコンで構成される。コントローラ５０には、赤外線リモコン（不図示）によって送信される赤外線信号を受光する受光回路４０が接続されている。受光回路４０は、筐体１１の上部および下部に設けられた受光素子４２を含み、受光した赤外線信号を電子信号に変換してコントローラ５０に入力する。コントローラ５０は、受光回路４０から入力された信号に基づいて、入力選択部５３における入力信号の選択、信号処理部５１における音質の調整、オーディオアンプ５２の音量の調整、Ｂｌｕｅｔｏｏｔｈ通信回路５４のオン／オフなどを行う。
【００２５】
信号処理部５１は、入力選択部５３から入力された（２チャンネルステレオ）のオーディオ信号の音質を調整するとともに、左右チャンネルの信号から中音域の成分を取り出してこれを合成し、第３チャンネルのオーディオ信号として出力する。すなわち、信号処理部５１は、機能的にバンドパスフィルタ６６，６７、および、ミキサ６８を内蔵している。また、オーディオアンプ５２は、機能的に、３チャンネルの増幅回路６４，６５，６９を有しており、それぞれ左チャンネル、右チャンネルおよび中音域のオーディオ信号を増幅する。増幅回路６４は、左チャンネルの音声信号を増幅し、その信号をスピーカ２２に出力する。増幅回路６５は、右チャンネルの音声信号を増幅し、その信号をスピーカ２１２に出力する。
【００２６】
この電子回路１５では、スピーカユニット２１に右チャンネルの音声信号を入力し、スピーカユニット２２に左チャンネルの音声信号を入力するようにしている、すなわち、図４（Ｂ）のように、スピーカユニット２１，２２が壁３００向き（ユーザと逆向き）になるように設置される場合の左右チャンネルの振り分けにしているが、図４（Ａ）のように配置する場合は、これを逆にしてもよい。また、リバーススイッチを設けて、入力選択部５３から増幅回路６４，６５およびバンドパスフィルタ６６，６７に入力される音声信号のチャンネルを入れ換え可能にしてもよい。
【００２７】
上述したように、筐体１１の上面に設けられたスピーカユニット２０は、中音域の音声を補強する。バンドパスフィルタ６６は、左チャンネルの音声信号のうち、中音域（一例として、１００Ｈｚ〜７ｋＨｚ）を抽出してミキサ６８に出力する。バンドパスフィルタ６７も同様に、右チャンネルの音声信号のうち、中音域を抽出してミキサ６８に出力する。ミキサ６８は、入力された左チャンネルの中音域の音声信号と右チャンネルの中音域の音声信号を合成し、この合成信号をアンプ６９に出力する。アンプ６９は、中音域の合成信号を増幅してスピーカユニット２０に出力する。したがって、スピーカユニット２０からは、左右チャンネルの中音域の合成された音声が放音される。また、バンドパスフィルタ６６、６７が抽出する帯域は、中音域に限定されない。中音域以外の帯域の音声をスピーカユニット２０から放音するようにしても、それぞれの帯域に応じた効果を得ることが可能である。
【００２８】
また、上記実施形態では、バッフル板２４に２つのスピーカユニット２１，２２を縦に配列して設けているが、個数は２個に限定されない。また、複数のスピーカユニットに入力する音声のチャンネル数も２チャンネルに限定されない。
【００２９】
なお、スピーカ装置１の筐体１１の形状は四角錐台形状に限るものではなく、円錐台形状、円柱状、多角柱状など概ね柱状であればよい。この実施形態のいずれの構成部も、本発明の趣旨を損なわない範囲で変形は自由である。
【符号の説明】
【００３０】
１  スピーカ装置
１０  ヘッドピース
１１  筐体
１２  スピーカグリル
１５  電子回路
２０、２１、２２  スピーカユニット
２３  バスレフポート
２４  バッフル板
２５  （バスレフ）ダクト
３１  ステレオスピーカボックス
３２  回路ボックス
【図１】
2014230120.tif 000003
【図２】
2014230120.tif 000004
【図３】
2014230120.tif 000005
【図４】
2014230120.tif 000006
【図５】
2014230120.tif 000007